(57)【要約】【課題】  フレキシブルフラットケーブルをフレキシブルフラットケーブル用コネクタに斜めに挿入することを防止でき、その挿入時の作業が行い易いフレキシブルフラットケーブル用コネクタを提供する。【解決手段】  基板２に横向き又は縦向きに実装されたフレキシブルフラットケーブル用コネクタ１の両側部に前方に突出するガイド板部１ａ、１ａが一体に延設されており、これらのガイド板部１ａ、１ａの内側にフレキシブルフラットケーブル３をフレキシブルフラットケーブル用コネクタ１の接続孔１ｂに向けてガイドするガイド溝部１ｃ、１ｃが形成され、ガイド溝部１ｃ、１ｃから接続孔１ｂに向けてフレキシブルフラットケーブル３が斜め向きにならないように正常な状態で挿入されるように構成した。【選択図】  図１
2009099370.tif 000002
【特許請求の範囲】
【請求項１】
基板に横向き又は縦向きに実装されたフレキシブルフラットケーブル用コネクタの接続孔にフレキシブルフラットを挿入する際にフレキシブルフラットケーブルが斜め向きに挿入することを防止するようにしたフレキシブルフラットケーブル用コネクタにおいて、前記フレキシブルフラットケーブル用コネクタの両側部に前方に突出するガイド板部が一体に延設されており、これらのガイド板部の内側に前記フレキシブルフラットケーブルを前記フレキシブルフラットケーブル用コネクタの接続孔に向けてガイドするガイド溝部が形成され、前記ガイド溝部から前記接続孔に向けてフレキシブルフラットケーブルが斜め向きにならないように正常な状態で挿入されるように構成したことを特徴とするフレキシブルフラットケーブル用コネクタ。
【請求項２】
前記ガイド板部に形成された前記ガイド溝部の先端部分に前記フレキシブルフラットケーブルを前記ガイド溝部に案内するために先端の幅が広く形成されたテーパ溝部が設けられている請求項１に記載のフレキシブルフラットケーブル用コネクタ。
【発明の詳細な説明】
【技術分野】
【０００１】
本発明は、基板に横向き又は縦向きに実装されたフレキシブルフラットケーブル用コネクタの接続孔にフレキシブルフラットを挿入する際にフレキシブルフラットケーブルが斜め向きに挿入することを防止するようにしたフレキシブルフラットケーブル用コネクタに関するものである。
【背景技術】
【０００２】
図５に示すように、従来、基板１０１に実装されたフレキシブルフラットケーブル用コネクタ１０２は、フレキシブルフラットケーブル１０３をフレキシブルフラットケーブル用コネクタ１０２の接続孔１０２ａに挿入するときにガイドが無いために斜めに挿入され、フレキシブルフラットケーブル１０３の端子がフレキシブルフラットケーブル用コネクタ１０２の他の端子に接続されてショートすることがあり、このために、電子機器が破損することがあるという問題があった。
【０００３】
第１の従来技術を図６（ａ）（ｂ）、図７（ａ）（ｂ）に示す。この従来のフラットケーブル用コネクタは、図６（ａ）（ｂ）、図７（ａ）（ｂ）に示すように、フラットケーブル用コネクタ２０１において、カバーハウジング２２０の両端に、ＦＰＣ（フラットケーブル）２５０の幅よりも大きい内壁面間隔で配置された１対の挿入案内部２２６を設けると共に、１対の挿入案内部２２６に連続し、かつ、１対の挿入案内部２２６の内壁面間隔に対して小さくなるような内壁面間隔Ｄ２を設定した１対のフラットケーブル斜め挿入防止部２２７を設けている。１対のフラットケーブル斜め挿入防止部２２７は、カバーハウジング２２０の回動時に、斜め挿入されたＦＰＣ２５０の挿入状態をそれぞれの内壁面により矯正するようになっている。（例えば、特許文献１参照）。
【０００４】
ところが、これにおいては、ガイド溝が無いのでフラットケーブル２５０がフラットケーブル用コネクタ２０１に斜めに挿入されることがあるという問題があった。また、フラットケーブル２５０をフラットケーブル用コネクタ２０１に斜めに挿入しないようにするには、作業上難しいという問題があった。
【０００５】
第２の従来技術を図８、図９に示す。この従来の平型柔軟ケーブルの為のコネクタは、図８、図９に示すように、天面３１１と下面３１２及び天面と下面間を一体的につなげる左右側壁３１３、３１４より成り、天面と下面及び左右側壁に囲まれた形で平型柔軟ケーブル挿入空間３０７が形成されたコネクタハウジング３０６と、この平型柔軟ケーブル挿入空間内に平型柔軟ケーブル３０１に形成された平型導体３０２の形成ピッチＰに対応したピッチで端子３０８が装着されて成る平型柔軟ケーブルの為のコネクタにおいて、コネクタハウジングの平型柔軟ケーブル挿入空間内の左右側壁間３１３、３１４の幅を、平型柔軟ケーブルの左右両端間３０３、３０４の幅に対し、小さくしている。（例えば、特許文献２参照）。
【０００６】
ところが、これにおいては、ガイド溝が無いのでコネクタハウジング３０６に平型柔軟ケーブル３０１が斜めに挿入されることがあるという問題があった。また、平型柔軟ケーブル３０１をコネクタハウジング３０６に斜めに挿入しないようにするには、作業上難しいという問題があった。
【０００７】
【特許文献１】特開２００６−３３８９５５号公報
【特許文献２】実用新案登録番号第３０１４６１１号公報
【発明の開示】
【発明が解決しようとする課題】
【０００８】
本発明は、上記従来の問題に鑑みてなされたものであって、フレキシブルフラットケーブルをフレキシブルフラットケーブル用コネクタに斜めに挿入することを防止でき、その挿入時の作業が行い易いフレキシブルフラットケーブル用コネクタを提供することを目的としている。
【課題を解決するための手段】
【０００９】
本発明は、上記課題を解決するために提案されたものであって、請求項１に記載の発明は、基板に横向き又は縦向きに実装されたフレキシブルフラットケーブル用コネクタの接続孔にフレキシブルフラットを挿入する際にフレキシブルフラットケーブルが斜め向きに挿入することを防止するようにしたフレキシブルフラットケーブル用コネクタにおいて、前記フレキシブルフラットケーブル用コネクタの両側部に前方に突出するガイド板部が一体に延設されており、これらのガイド板部の内側に前記フレキシブルフラットケーブルを前記フレキシブルフラットケーブル用コネクタの接続孔に向けてガイドするガイド溝部が形成され、前記ガイド溝部から前記接続孔に向けてフレキシブルフラットケーブルが斜め向きにならないように正常な状態で挿入されるように構成したことを特徴としている。
【００１０】
請求項２に記載の発明は、請求項１に記載の発明において、前記ガイド板部に形成された前記ガイド溝部の先端部分に前記フレキシブルフラットケーブルを前記ガイド溝部に案内するために先端の幅が広く形成されたテーパ溝部が設けられている。
【発明の効果】
【００１１】
請求項１に記載の発明によれば、フレキシブルフラットケーブルをフレキシブルフラットケーブル用コネクタの両側部のガイド板部のガイド溝部にその両縁が嵌まり込んだ状態で挿入できるから、フレキシブルフラットケーブルがフレキシブルフラットケーブル用コネクタの接続孔に斜めに挿入されることを防止することができる。また、フレキシブルフラットケーブルをフレキシブルフラットケーブル用コネクタの接続孔に正常な状態で挿入する作業が行い易い。
【００１２】
請求項２に記載の発明によれば、フレキシブルフラットケーブル用コネクタのガイド板部のガイド溝部の先端部分にテーパ溝部が設けられているから、このテーパ溝部にフレキシブルフラットケーブルの両端を挿入することで、フレキシブルフラットケーブルの両端がガイド溝部に案内されるから、挿入作業を容易に行なうことができる。
【発明を実施するための最良の形態】
【００１３】
以下、本発明に係るフレキシブルフラットケーブル用コネクタの実施の形態について、図を参照しつつ説明する。
図１は本発明の第１例のフレキシブルフラットケーブル用コネクタを基板に横向きに実装し、フレキシブルフラットケーブルを挿入する前の状態を示す斜視図、図２は図１におけるフレキシブルフラットケーブルを挿入した状態の斜視図、図３は第２例のフレキシブルフラットケーブルを基板に縦向きに実装し、フレキシブルフラットケーブルを挿入する前の状態を示す斜視図、図４は図３におけるフレキシブルフラットケーブルを挿入した状態の斜視図である。
【００１４】
図１、図２に示す第１例のフレキシブルフラットケーブル用コネクタ１は、基板２に横向きに実装され、図３、図４に示す第２例のフレキシブルフラットケーブル用コネクタ１は基板２に縦向きに実装されている。フレキシブルフラットケーブル用コネクタ１には、その両側部に前方又は上方に向けて突出するガイド板部１ａ、１ａが一体に延設されており、これらのガイド板部１ａ、１ａの内側にフレキシブルフラットケーブル３を接続孔１ｂに向けてガイドするガイド溝部１ｃ、１ｃが形成されている。更に、ガイド溝部１ｃ、１ｃの先端部分にフレキシブルフラットケーブル３をガイド溝部１ｃ、１ｃに案内するために先端の幅が広く形成されたテーパ溝部１ｄ、１ｄが設けられている。
【００１５】
フレキシブルフラットケーブル３をフレキシブルフラットケーブル用コネクタ１の接続孔１ｂに挿入するには、フレキシブルフラットケーブル３をフレキシブルフラットケーブル用コネクタ１の両側部のガイド板部１ａ、１ａのテーパ溝部１ｄ、１ｄに挿入すると、フレキシブルフラットケーブル３はテーパ溝部１ｄ、１ｄからガイド溝部１ｃ、１ｃに館内され、ガイド溝部１ｃ、１ｃから接続孔１ｂに挿入される。
【００１６】
従って、フレキシブルフラットケーブル３をフレキシブルフラットケーブル用コネクタ１の両側部のガイド板部１ａ、１ａのガイド溝部１ｃ、１ｃにその両縁が嵌まり込んだ状態で挿入できるから、フレキシブルフラットケーブル３がフレキシブルフラットケーブル用コネクタ１の接続孔１ｂに斜めに挿入されることを防止することができる。また、フレキシブルフラットケーブル３をフレキシブルフラットケーブル用コネクタ１の接続孔１ｂに正常な状態で挿入する作業が行い易い。更に、フレキシブルフラットケーブル用コネクタ１のガイド板部１ａ、１ａのガイド溝部１ｃ、１ｃの先端部分にテーパ溝部１ｄ、１ｄが設けられているから、このテーパ溝部１ｄ、１ｄにフレキシブルフラットケーブル３の両端を挿入することで、フレキシブルフラットケーブル３の両端がガイド溝部１ｃ、１ｃに案内されるから、挿入作業を容易に行なうことができる。
【図面の簡単な説明】
【００１７】
【図１】本発明の第１例のフレキシブルフラットケーブル用コネクタを基板に横向きに実装し、フレキシブルフラットケーブルを挿入する前の状態を示す斜視図である。
【図２】図１におけるフレキシブルフラットケーブルを挿入した状態の斜視図である。
【図３】第２例のフレキシブルフラットケーブルを基板に縦向きに実装し、フレキシブルフラットケーブルを挿入する前の状態を示す斜視図である。
【図４】図３におけるフレキシブルフラットケーブルを挿入した状態の斜視図である。
【図５】従来のフレキシブルフラットケーブル用コネクタにフレキシブルフラットケーブルが斜め向きに挿入される状態を示す斜視図である。
【図６】従来のフラットケーブル用コネクタにおけるカバーハウジングが回動している途中のＦＰＣの挿入状態を示し、（ａ）はその平面図、（ｂ）はその左側面図である。
【図７】従来のフラットケーブル用コネクタを示し、（ａ）はその平面図、（ｂ）はその正面図である。
【図８】従来の平型柔軟ケーブルの為のコネクタと平型柔軟ケーブルを示す構成図である。
【図９】図８における平型柔軟ケーブル挿入空間に平型柔軟ケーブルが挿入された状態を示す正面図である。
【符号の説明】
【００１８】
１        フレキシブルフラットケーブル用コネクタ
１ａ      ガイド板部
１ｂ      接続孔
１ｃ      ガイド溝部
１ｄ      テーパ溝部
２        基板
３        フレキシブルフラットケーブル
【図１】
2009099370.tif 000003
【図２】
2009099370.tif 000004
【図３】
2009099370.tif 000005
【図４】
2009099370.tif 000006
【図５】
2009099370.tif 000007
【図６】
2009099370.tif 000008
【図７】
2009099370.tif 000009
【図８】
2009099370.tif 000010
【図９】
2009099370.tif 000011